(57)【要約】【課題】  本体内部の実装密度が高く、通風抵抗が大きい傾向にある誘導加熱調理器の信頼性を向上する。【解決手段】  本体２の上面に被加熱容器を栽置するトッププレート１を配し、このトッププレート１の下方に誘導加熱コイル３、４を配し、誘導加熱コイル３、４を駆動する電子基板６、７、８を冷却するターボファン５とを本体２内部に配した誘導加熱調理器において、本体２の後背部に向かって開口するファン５の吸込口９と、トッププレート１の吸気口１５を連通する吸気流路の途中に、吸気流路の前記トッププレート１側の壁面に吸気流路を狭める水切り板を設けた構成とする。    【選択図】  図３
2007073453.tif 000002
【特許請求の範囲】
【請求項１】
本体上面にトッププレートを備え、前記本体内には、複数個の加熱コイルと、前記複数個の加熱コイルの駆動を制御する基板と、その基板よりも前記本体後方に設けられ、前記加熱コイルと前記基板を冷却するファンユニットと、そのファンユニット後方の前記本体の背壁部と前記本体の底部との間に底部に向けて前記ファンユニット側に傾斜した傾斜部とを備え、前記本体の後方に前記ファンの吸気口が設けられた誘導加熱調理器において、前記吸気口と前記前記ファンユニットとの間に設けられた吸気流路の途中に該吸気流路を狭める頂部を供えた水切り部を設けた誘導加熱調理器。
【請求項２】
本体上方にトッププレートを備え、前記本体内には、複数個の加熱コイルと、前記複数個の加熱コイルの駆動を制御する電子基板と、その電子基板よりも前記本体後方に設けられ、前記加熱コイルと前記電子基板に空気流を送出するファンユニットと、そのファンユニット後方の前記本体の背壁部と前記本体の底部との間に該底部に向けて前記ファンユニット側に傾斜した傾斜部と、前記本体の後方に設けられた吸気口と、を備えた誘導加熱調理器において、前記吸気口から、前記本体の後方に向かって開口する前記ファンユニットの空気吸込口までの吸気流路の途中であって前記トッププレート側に、前記吸気流路を狭める頂部を供えた水切り部を設けた誘導加熱調理器。
【請求項３】
本体上面にトッププレートを備え、前記本体内には、前記トッププレートの下方に設けた複数個の加熱コイルと、前記複数個の加熱コイルの駆動を制御する基板と、前記加熱コイルと前記基板を冷却するファンユニットと、そのファンユニット後方の前記本体の背壁部と前記本体の底部との間に底部に向けて前記ファンユニット側に傾斜した傾斜部とを備え、前記本体の後方に吸気口が設けられた誘導加熱調理器において、前記本体背壁部と前記ファンユニットのファンとの間の吸気流路の途中であって、前記ファンの吸込口が設けられた前記吸気流路を仕切る壁面に、前記壁面の吸込口の外周に庇状の仕切り部材を設けた誘導加熱調理器。
【請求項４】
請求項1乃至３記載の誘導加熱調理器において、前記本体の後背部に向かって開口する前記ファンユニットの空気吸込口と、前記空気吸込口と前記後背部の傾斜部との間にあって前記傾斜部から飛散する水滴を遮蔽する遮蔽部材と、前記遮蔽部材と前記傾斜部との間に前記本体に侵入した水を外部に排水する排水口を設けたことを特徴とする誘導加熱調理器。
【請求項５】
請求項１乃至３記載の誘導加熱調理器において、前記本体後背部の傾斜部に前記傾斜部から飛散した水滴を遮蔽する遮蔽部材を設け、前記遮蔽部材の上流側流路に前記本体に侵入した水を外部に排水する排水口を設けたことを特徴とする誘導加熱調理器。
【請求項６】
請求項１乃至３記載の誘導加熱調理器において、前記吸気口と前記吸込口を連通する吸気流路の途中に、前記本体の底部側が前記本体の後背部に向けて傾斜したルーバーを設けたことを特徴とする誘導加熱調理器。
【請求項７】
請求項４記載の誘導加熱調理器の誘導加熱調理器において、前記空気吸込口と前記本体の後背部との距離L1と、前記吸気口下部のファンユニット側壁面と前記本体の後背部側壁面との距離L2との関係が、L1/L2＞2.5である誘導加熱調理器。
【請求項８】
請求項５記載の誘導加熱調理器において、前記吸気口下部のファンユニット側壁面と前記本体の後背部との距離L2と、前記遮蔽部材と前記本体の後背部との距離L3の関係が、L3＞L2である誘導加熱調理器。
【請求項９】
請求項５記載の誘導加熱調理器において、前記空気吸込口と1つ以上の吐出口が同軸で配置されており、前記ファンユニットの少なくとも1つの吐出口は、前記吐出口からの下流側流路に前記基板を配置した誘導加熱調理器。
【請求項１０】
請求項９記載の誘導加熱調理器において、前記ファンの少なくとも1つの吐出口は、前記誘導加熱コイルに通じる流路と連通していることを特徴とする誘導加熱調理器。
【発明の詳細な説明】
【技術分野】
【０００１】
本発明は誘導加熱調理器に関するものである。
【背景技術】
【０００２】
誘導加熱調理器は、誘導加熱コイルに高周波電流を流れると発生する磁力線が、金属製の鍋を通過するときに鍋底に生じる渦電流によるジュール加熱を利用して、加熱調理を行う装置である。
【０００３】
加熱時には鍋だけでなく、誘導加熱コイルや誘導加熱コイルを制御する電子基板などからも発熱が生じるため、ファンを用いた送風冷却が行われている。
【０００４】
従来の誘導加熱調理器の流路構造は、軸流ファンや多翼ファンを用いてトッププレートの吸気口から吸気した空気を、電子部品を搭載した電子回路基板に通風し、さらに誘導加熱コイルに通風するものである。
【０００５】
このような誘導加熱調理器では、操作中に鍋の煮こぼれや、鍋の倒れなどによって、トッププレートの吸気口及び排気口に水が浸入した場合、上述の冷却流路を通じて電子基板などに付着した水が電子部品の損傷原因となる。そのために、冷却流路は防水構造を設ける必要がある。
【０００６】
従来から、ファンの種類に係わらず、冷却流路には加熱コイルや電子基板の防水構造が設置されている。こうした冷却流路の防水構造の例として特許文献に開示された例がある。
【０００７】
【特許文献１】特開２００１−３２４１５１号公報
【特許文献２】特開２００２−０４３０４６号公報
【発明の開示】
【発明が解決しようとする課題】
【０００８】
近年、誘導加熱調理器は調理時間の短縮などの要請から、加熱コイルはより高出力化される傾向にあり、ロースターは大型の調理品に対応できるように内容積が大型化される傾向にある。
【０００９】
また、使用する鍋の種類は、高効率で加熱できる鉄鍋だけでなく、加熱効率の下がる非磁性ステンレス鍋でも使用されるようになっているため、多種の鍋に対応できるように鉄、非磁性ステンレス製の鍋に加えてアルミ製、銅製鍋でも使用できる機種が製品化されている。ちなみに、アルミ鍋の加熱効率は非磁性ステンレス鍋よりも低い。
【００１０】
加熱コイルを制御する電子基板は、加熱コイルの下部にありロースターの余剰空間に配置されている。この加熱コイルの高出力化、対応鍋の多様化に伴い加熱コイルの制御回路に必要な部品は増加する。
【００１１】
電子基板を搭載する場所は限られているため、電子基板の実装密度が高くなることで、電子基板へ供給される冷却気流の通風抵抗が大きくなると共に、熱損失も増大する傾向にある。
【００１２】
また、ロースターの内容積の大型化により、電子基板の配置空間が縮小すると、電子基板の実装密度はさらに高くなることが要求される。
【００１３】
前述したように、特許文献１に開示された誘導加熱調理機の例は、軸流ファンにより吸気口から吸入した冷却風を電子基板と誘導加熱コイルに通風するものである。
【００１４】
誘導加熱調理器は本体内部の機器の実装密度が高いため、通風抵抗が大きく、図１３に示すように動作点が締切り点に近くなり、軸流ファンを用いた場合には騒音が大きくなるという課題があった。
【００１５】
また、軸流ファンは、ファンの吸込口と吐出口が同軸で相対位置にあることから、ファンの吸込口に侵入した水滴などは、直接、下流側の電子基板に飛散してしまうといった課題もあった。
【００１６】
されに、特許文献１に開示された誘導加熱調理器の防水構造では、上部の吸気口から浸入し、本体底部に着水した水滴が跳ね上がることによって、ファン吸込口に吸引されるといった課題もあった。
【００１７】
特許文献２に開示された誘導加熱調理器における流路構造の例は、縦置き式の多翼ファンにより、吸気口から吸入した冷却風を電子基板と誘導加熱コイルに通風するものである。
【００１８】
特許文献２に開示された誘導加熱調理器のように、多翼ファンの防水構造はファン吸込口及び吸込側流路に抵抗体を設けて吸込口流路を狭められることから通風抵抗が増大する。また、多翼ファンは旋回方向に吹出口を配置した流路構造となるため、多翼ファンで吸引された水滴は、ファン吹出口の下流に配置された電子基板に直接付着してしまうといった課題があった。
【００１９】
ところで多翼ファンは一般に、ファンの大きさに対して風量と圧力が大きくとれることから室内の換気用等に広く用いられている。
【００２０】
しかしながら図１４に示すように、羽根車の回転方向と羽根の出口方向とが一致する前向き羽根であることから、羽根車出口の絶対速度C2が非常に大きくなる特性がある。
【００２１】
この絶対速度C2は、ファン出口の圧力損失ΔP=ρ/2×C22となるため、通風抵抗が増大し、さらにはファンケーシング内部の流れに悪影響を及ぼしたり、局所的な騒音源となったりするため、特許文献２に開示された多翼ファンを用いる場合には、多翼ファン自体に由来する課題もあった。
【００２２】
本発明の目的は、前記不具合を解決するものであり、信頼性の高い誘導加熱調理器を実現することにある。
【課題を解決するための手段】
【００２３】
上記課題を解決するため、本発明の誘導加熱調理器は、本体上面にトッププレートを備え、前記本体内には、複数個の加熱コイルと、前記複数個の加熱コイルの駆動を制御する基板と、その基板よりも前記本体後方に設けられ、前記加熱コイルと前記基板を冷却するファンユニットと、そのファンユニット後方の前記本体の背壁部と前記本体の底部との間に底部に向けて前記ファンユニット側に傾斜した傾斜部とを備え、前記本体の後方に前記ファンの吸気口が設けられた誘導加熱調理器において、前記吸気口と前記前記ファンユニットとの間に設けられた吸気流路の途中に該吸気流路を狭める頂部を供えた水切り部を設けたものである。
【００２４】
また、上記を解決するため、本発明の誘導加熱調理器は、本体上方にトッププレートを備え、前記本体内には、複数個の加熱コイルと、前記複数個の加熱コイルの駆動を制御する電子基板と、その電子基板よりも前記本体後方に設けられ、前記加熱コイルと前記電子基板に空気流を送出するファンユニットと、そのファンユニット後方の前記本体の背壁部と前記本体の底部との間に該底部に向けて前記ファンユニット側に傾斜した傾斜部と、前記トッププレートの後方に設けられた吸気口と、を備えた誘導加熱調理器において、前記吸気口から、前記本体の後方に向かって開口する前記ファンユニットの空気吸込口までの吸気流路の途中であって前記トッププレート側に、前記吸気流路を狭める頂部を供えた水切り部を設けたものである。
【００２５】
また、上記を解決するため、本発明の誘導加熱調理器は、本体上面にトッププレートを備え、前記本体内には、前記トッププレートの下方に設けた複数個の加熱コイルと、前記複数個の加熱コイルの駆動を制御する基板と、前記加熱コイルと前記基板を冷却するファンユニットと、そのファンユニット後方の前記本体の背壁部と前記本体の底部との間に底部に向けて前記ファンユニット側に傾斜した傾斜部とを備え、前記トッププレートの後方に吸気口が設けられた誘導加熱調理器において、前記本体背壁部と前記ファンユニットのファンとの間の吸気流路の途中であって、前記ファンの吸込口が設けられた前記吸気流路を仕切る壁面に、前記壁面の吸込口の外周に庇状の仕切り部材を設けたものである。
【００２６】
さらに、上記手段の他に、前記本体の後背部に向かって開口するターボファンの空気吸込口と、前記ターボファンの空気吸込口と前記後背部の傾斜部との間にあって前記傾斜部から飛散する水滴を遮蔽する遮蔽部材と、前記遮蔽部材と前記傾斜部との間に前記本体に侵入した水を外部に排水する排水口を設けたものである。
【００２７】
さらにまた、上記手段の他に、前記本体後背部の傾斜部に前期傾斜部から飛散した水滴を遮蔽する遮蔽部材を設け、前記遮蔽部材の上流側流路に前記本体に侵入した水を外部に排水する排水口を設けたものである。
【００２８】
またさらに、上記手段の他に、前記トッププレート吸気口と前記ファンの吸込口を連通する吸気流路の途中に、前記本体の底部側が前記本体の後背部に向けて傾斜したルーバーを設けたものである。
【００２９】
また、上記手段の他に、前記ファンの空気吸込口と前記本体の後背部との距離L1と、前記トッププレートの吸気口下部のファン側壁面と前記本体の後背部側壁面との距離L2との関係が、L1/L2＞2.5としたものである。
【００３０】
また、第8の手段は、第４〜７の手段に記載した誘導加熱調理器において、前記トッププレートの吸気口下部のファン側壁面と前記本体の後背部との距離L2と、前記遮蔽部材と前記本体の後背部との距離L3の関係が、L3＞L2としたものである。
【００３１】
また、上記手段の他に、前記ファンの空気吸込口と1つ以上の吐出口が同軸で配置されており、前記ファンの少なくとも1つの吐出口は、前記吐出口からの下流側流路に前記基板を配置したものである。
【００３２】
さらにまた、上記手段の他に、前記ファンの少なくとも1つの吐出口は、前記誘導加熱コイルに通じる流路と連通したものである。
【発明の効果】
【００３３】
本発明によれば、ファンの上流側流路のトッププレート側壁面に吸気流路を狭める水切り板を設けたことにより、トッププレートの吸気口を通じて、トッププレート側の吸気流路壁面を伝って流れる水に対して、水流をせき止めて壁面から水滴を分離し、流路壁面を伝ってファンの吸気口に流れ込む水滴の浸入を防止することができるため、電子基板や誘導加熱コイルへの水滴付着による電子部品の損傷を防ぎ、誘導加熱調理器の信頼性を確保できる。
【００３４】
また、他の手段としてトッププレートの吸気口の下部流路を狭める水切り板を設けたもの、ファンの吸込口を設けた壁面のファン外周部に庇状の仕切り部材を設置してもよい。
【発明を実施するための最良の形態】
【００３５】
以下、本発明の一実施の形態について図１から図３に従って説明する。
【００３６】
本実施例は、二つの誘導加熱部と、1つのヒータ加熱部と、1つのロースターとを備え、システムキッチンのようなキッチン家具に組み込まれて使用される誘導加熱調理器を例にとって説明する。
【００３７】
先ず、本発明の一実施例における誘導加熱調理器の全体構造について説明する。図１は本実施例の誘導加熱調理器の外観傾斜図であり、本発明に係る誘導加熱調理器、及び従来の誘導加熱調理器に共通した代表構造を示した図である。
【００３８】
トッププレート１は、本体２の上面に設けられ、ガラス製で鍋などの負荷を受ける。本体２前面には操作部１７を設けており、その隣にはロースター１９が設けられている。
【００３９】
本体２の上面手前、トッププレート１の手前側には、液晶パネル１８が配置してあり、誘導加熱部の出力状態を液晶で表示し、使用者に加熱出力の強さを伝達する。
【００４０】
図２は本実施例の誘導加熱調理器において、トッププレート等を本体から取り外し、電子基板とファンの実装を示した分解傾斜図である。
【００４１】
トッププレート１の下部には、右の誘導加熱部に対応した誘導加熱コイル３、左の誘導加熱部に対応した誘導加熱コイル４があり、高周波電流が流れることにより磁力線を発生し、負荷である鍋を加熱する。
【００４２】
本体２内部の後背部には、ターボファンを備えたファンユニット５が設けられていて、モータ１４で駆動されるターボファンである羽根車１０により、冷却風を送風する。羽根車１０を収めるファンケーシング１３は、吸込口９、吐出口１１、１２を備えている。図４（ａ）に、ファンケーシング１３の吸込口９側を示す。
【００４３】
また、図４（ｂ）に、ファンケーシング１３の吐出口１１、１２側を示す。吐出口１２は、一つの開口部として図示しているが、開口部の大きさを変えることにより風量を調整することができる。
【００４４】
図１２（ａ）に示すように、吐出口１２を分割して、所望の位置に供給する風量に応じた開口としてもよい。また、図１２（ｂ）に示すように、ファンケーシング１３内の羽根車１０の中心位置を偏心させて図中、右側にずらすことによって、開口部１２の面積を変えることができる。このようにすることで、冷却風量が必要な発熱量の大きい電子基板へ供給する風量を増大することが可能となる。
【００４５】
次に、冷却風の流れについて説明する。本体２の吸気口１５は、本体２後部側に設けられ、本体２内部の冷却風の入口である。吸気口１５から吸気された冷却風は、ファンユニット５の吸込口９に導かれる。
【００４６】
ファンユニット５は、吸込口９より取り込まれた空気を、吐出口１１、１２から冷却風として噴き出す。このファンユニット５から噴き出された冷却風が、電子基板６、７、８や、後述する冷却流路を通じて誘導加熱コイル３を冷却する。
【００４７】
ロースター１９は、本体２左下側に設けられ、ヒータ加熱式で、焼魚や肉料理の調理などに用いられる。ロースター排気口２０は排気口１６に併設され、ロースター１９から発生する煙などを排出する出口である。
【００４８】
ラジエントヒータ２１は、本体２内部の後方に設けられたヒータ加熱部であり、誘導加熱方式では加熱できない鍋、容器などでの調理時に用いられる。
【００４９】
図３は、図２の誘導加熱調理器において、前面から見て右側の誘導加熱部のほぼ中央で切断した側面断面図である。また図中の矢印は冷却風を表している。
【００５０】
ここでは、代表例として３枚の基板と、二口のファンユニット吐出口を用いた場合を示している。
【００５１】
ファンユニット５に吸込まれた空気流は、ファンモータ１４により駆動される後ろ向きの羽根３６を持つ羽根車１０(図５(ａ)参照)によって運動量を与えられ、羽根車１０内で９０度流れの方向を偏向した後、ファンケーシング１３内でさらに９０度流れの方向を偏向し(図４(ｂ)参照)、吐出口１１、吐出口１２から吐き出される。吐出口１１から誘導加熱コイル３に供給され、また、吐出口１２からは電子基板６、７、８に供給される。
【００５２】
吸込口９と吐出口１１、１２の方向は、羽根車１０の軸方向と一致する方向に配置される。羽根車１０の吸込口９と吸気口１５の吸込流路を隔てたファンケーシング１３に吸込口９へ整流空気を導くためのマウスリング３１を設けている
電子基板６、７、８は複数の基板で構成され、誘導加熱コイル３の下方に配置され、右の誘導加熱コイル３と左の誘導加熱コイル４を制御する。本体２内部を冷却した冷却風は排気口１６を抜けて外部に排出される。
【００５３】
通気口２２は、誘導加熱コイル３を支持する板に設けられた開口であり、誘導加熱コイル３の下方近傍に設けられる。また、通気口２３は、ファン５の吐出口１１から吹出した冷却風を直接誘導加熱コイル３に吹き付けるために設けた開口である。
【００５４】
また、左側の誘導加熱コイル４の下方近傍に用いる通気口は、必要に応じて設けられるもので、ロースター１９の配置に合わせて誘導加熱コイル４の下方や周囲の近傍に設けられる。本実施例では、右側の誘導加熱コイル３のみ通気口を設けた構造で説明する。
【００５５】
本体２前面に設けられた操作部１７は、機器全体の電源スイッチや、誘導加熱コイル３、４やラジエントヒータ２１の出力調整ツマミなどを備えている。
【００５６】
なお、本実施例で説明するターボファン（羽根車１０）は、図５（ｂ）に示すファン外径Ｄとファン内径Ｄ１とが、内径/外径＝0.4〜0.6の関係のものである。また、羽根３６の出口角度が１１０°以下のもので、羽根３６の枚数が１５枚以下のものである。
【００５７】
以上の構成において、全体の動作を説明する。
【００５８】
鍋を右の誘導加熱部上、すなわち右の誘導加熱コイル３上方のトッププレート１上に栽置し、操作部１７の電源スイッチをオンし、右の誘導加熱部に対応した出力調整ツマミを好みの出力に調節する。
【００５９】
電子基板６、７、８の制御部は、右の誘導加熱コイル３に高周波電流を流し、誘導加熱コイル３から磁力線を発生させ、鍋を加熱する。同時に、制御部はファン５を駆動する。
【００６０】
駆動されたファン５は、吸気口１５から外気を吸気し、冷却風を電子基板６、７、８に吹き付け、これを冷却する。電子基板６、７、８を冷却した冷却風は、上方に向かい、通気口２２及び通気口２３を通り、誘導加熱コイル３等が配置された空間に吹出され、主に右の誘導加熱コイル３に吹き付けられて、これを冷却し、その後、本体２の後部に設けられた排気口１６から外気に排気される。なお、電子基板７への冷却風の供給は、電子基板６からの冷却風が電子基板７の隙間を上昇して得られる。
【００６１】
次に、本発明に係るファン５と防水構造を組み合わせた流路構造の実施例の詳細について説明する。
【実施例１】
【００６２】
本発明の一実施例として、先に述べた図３と図６を用いて実施例１を説明する。
【００６３】
図６は本発明の誘導加熱調理器において、トッププレート等を本体から取り外し吸気口１５からファン５の流路間を表した傾斜図である。
【００６４】
吸気口１５からファン５の吸込口９の流路において、トッププレート１側の上方流路壁面２４には、吸気流路を狭めるように下方が本体２後背部側に傾斜した水切り板２５を設けられている。
【００６５】
本体２の底部側に面する下方流路壁面２６には、本体２後背部の傾斜部２７で飛散する水滴を遮蔽する遮蔽部材２８が設けられており、遮蔽部材２８の上流側および後流側の下方流路壁面２６には排水口２９と排水口３３を設けた流路構造となっている。
【００６６】
本実施例に示す遮蔽部材２８の設置位置は、下方流路壁面２６上とした場合を説明するが、本体２後背部の下部に設けた傾斜部２７上に遮蔽部材２８を配置しても良い。
【００６７】
また、本体２の後背部流路壁面３０とファン５の吸込口９との距離をL1とし、吸気口１５に接する上方流路壁面２４と後背部流路壁面３０との距離をL2とした場合、L1/L2＞2.5の相関が成り立つ構造とする。また、後背部流路壁面３０と遮蔽部材２８との距離をL3とした場合、L3>L2の相関が成り立つ構造である。実施例１以降においても、ファン５の吸込口９、遮蔽部材２８、吸気口１５の位置関係は実施例１と共通する。
【００６８】
ここで、本体２の内部に侵入する水について説明する。
【００６９】
トッププレート１上に載置した鍋の転倒や煮こぼれなどが原因で、吸気口１５に水が侵入してしまう。吸気口１５から浸入した水の主な軌跡として、次の３通りが挙げられる。１つは、大量の水が侵入した場合であり、吸気口１５を通り抜けた大半の水が傾斜部２８や下方流路壁面２６に直接着水する。２つ目は、少量の水が上方流路壁面２４を伝って、ファン５の吸込口９付近に水滴が落下するである。３つ目として、吸気口１５の下方流路で飛散した微量の水滴が直接ファン５の吸込口９に吸引されるものである。
【００７０】
以上の構成により、吸気口１５から侵入した水に対する防水構造について説明する。
【００７１】
吸気口１５から侵入した水の１部は水切り板２５の斜面に沿って本体２の後背部壁面３０方向に水流を導き、ファン５側に飛散する水滴を抑制する。傾斜部２７に着水した水の１部はファン５側に跳ね上がるが、遮蔽部材２８に衝突して遮蔽される。また、着水した１部は排水口２９から本体２の外部へ排水されるため、水の跳ね返り量を削減できる。従って、大量の水が侵入した場合などは、水切り板２５、遮蔽部材２８、排水口２９によって、ファン５の吸込口９に浸入する水を防止できる。
【００７２】
また、上方流路壁面２４を伝って流れる水滴は、水切り板２５により水流をせき止められ、傾斜部２７に着水する。従って、少量の水が侵入した場合などは、水切り板２５によりファン５の防水効果が得られる。
【００７３】
また、ファン５の吸込口９と吸気口１５の配置をL1/L2＞2.5とし、吸気口１５から所定の空間を設けることで、吸気口１５から浸入した水が直接ファン５の吸込口９に導かれる水滴を抑制できる。また、吸気口１５と遮蔽部材２８の配置がL3>L2とすることで、吸気口１５の下部に着水した水滴を遮蔽部材２８で遮ることができる。
【００７４】
また、吸気流路の途中で飛散した微量の水滴がファン５の吸込口９に浸入した場合、ファン５の回転により遠心方向に吐き出され、ファンケーシング１３の内壁面に付着することとなり、直接、電子基板６、７、８や誘導加熱コイル３に水滴が付着することが無い。ファンケーシング１３の内壁面に付着した水滴はファン５の旋回流れにより蒸発させることができる。
【００７５】
以上の流路構造により、ファン５の吸込口９を通じて電子基板側へ飛散する水滴の浸入を防止できことから、水滴の付着による電子部品の損傷を防げ、電子基板や誘導加熱コイルの信頼性を確保できる効果が得られる。
【００７６】
また、ファン５にターボファンを用いたことにより、遠心式で高い圧力が得られ、吐出口１１、１２の出口速度を低減した速度分布の一様な流れが電子基板６、７、８に供給されるため、多翼ファンのように吐出口直下の障害物の影響が及び難く、誘導加熱調理器の流路構造を低騒音で実現できる。
【００７７】
また、水切り板２５と遮蔽部材２８を組み合わせた流路構造は、ファン５の吸込口９上流に自由空間を確保できることから、流路の圧力損失の低減が図れるようになり高風量で低騒音の流路構造を実現できる。
【００７８】
また、１つのファン５によって、電子基盤６、７、８側の流路と誘導加熱コイル３に通じる流路を形成できるため、冷却部毎にファンを設ける必要が無くなり、流路構造の部品点数を削減できることから、製造コストの低減が実現できる。
【実施例２】
【００７９】
本発明の一実施例として、図７、８を用いて実施例２を説明する。
【００８０】
図７は本発明の誘導加熱調理器において、右の誘導加熱部のほぼ中央で切断した側面断面図である。図８は本発明の誘導加熱調理器において、ファン５の吸込口９側を表した傾斜図である。
【００８１】
吸気口１５からファン５の吸込口９の流路において、ファンケーシング１３の吸気側壁面に設置したマウスリング３１の外周状に庇状の仕切り板３２を設けている。また、本体２の底部側に面する下方流路壁面２６には、本体２後背部の傾斜部２７で飛散する水滴を遮蔽する遮蔽部材２８が設けられており、遮蔽部材２８の上流側および後流側の下方流路壁面２４には排水口２９と排水口３３を設けた流路構造となっている。
【００８２】
以上の構成により、吸気口１５から侵入した水に対する防水構造について説明する。
【００８３】
吸気口１５から浸入し、上方流路壁面２４を伝ってファンケーシング１３の吸込側壁面に流れ込んだり、上方流路壁面２４から落下して吸込口９の近傍に落下した水滴は、ファンケーシンク１３に設置した庇状の仕切り板３２に水の流路を遮蔽されて、庇状の仕切り板３２を伝って本体２底部に着水し、排水口３３を通り抜けて本体２の外部に排水される。また、傾斜部２７に着水した水は、遮蔽部材２８に遮られた後、排水口２９を通り抜けて本体２の外部に排水される。
【００８４】
すなわち、庇状の仕切り板３２と遮蔽部材２８を設置した流路構造により、上方流路壁面２４を伝って流れ込んだ水滴と、傾斜部２７に落下した水滴に対してファン５の防水効果が得られる。
【００８５】
以上の流路構造により、実施例１と同様に電子基板、誘導加熱コイルの防水効果が得られる。
【実施例３】
【００８６】
本発明の一実施例として、図９、図１０を用いて実施例３を説明する。
【００８７】
図９は本発明の誘導加熱調理器において、ファン５の吸込口９周辺を示したファンケーシング１３の正面を示す。図１０は本発明の誘導加熱調理器において、図９のA−A断面を示している。
【００８８】
吸気口１５からファン５のファン吸込口９の流路において、ファンケーシング１３のマウスリング３１に、庇状の仕切り板３４を設置した構造となっている。図中には記載していないが、吸気口１５とファン５の吸込口９と流路間には、遮蔽部材２８を設置した流路構造となっている。
【００８９】
以上の構成により、吸気口１５から侵入した水に対する防水構造について説明する。
【００９０】
吸気口１５から浸入し、上方流路壁面２４を伝ってファンケーシング１３の吸込側壁面に流れ込んだり、上方流路壁面２４から落下して吸込口９の近傍に落下した水滴は、マウスリング３１上に設置した庇状の仕切り板３４に水の流路を遮蔽されて、庇状の仕切り板３３を伝って本体２底部に着水し、排水口３３を通り抜けて本体２の外部に排水される。すなわち、庇状の仕切り板３３は、上方流路壁面２４を伝って流れ込んだ水滴に対して、ファン５への防水効果が得られる。
【００９１】
以上の流路構造により、実施例１、２と同様に電子基板、誘導加熱コイルの防水効果が得られる。
【実施例４】
【００９２】
本発明の一実施例として、図１１を用いて実施例４を説明する。
【００９３】
図１１は本発明の誘導加熱調理器において、右の誘導加熱部のほぼ中央で切断した側面断面図である。
【００９４】
吸気口１５からファン５の吸込口９の流路において、上方流路壁面２４に吸気流路を狭めるように下方が本体２後背部側に傾斜した水切り板２５設置し、下方流路壁面２６に遮蔽部材２８を設置した空間であり、遮蔽部材２８と上方流路壁面２４との間にルーバー３５を設置した流路構造となっている。ルーバー３５は、下方側が本体２の後背部に傾斜し、複数の傾斜した板が所定の間隔を隔てて設置された構造となっている。本実施例においては、上方流路壁面２４に水切り板２５を用いたが、水切り板２５の変わりに、実施例２で述べたファンケーシング１３の壁面に庇状の仕切り板３２を設置した構造、または、実施例３で述べたマウスリング３１上に庇状の仕切り板３４を設置した構造を用いても良い。
【００９５】
以上の構成により、吸気口１５から侵入した水に対する防水構造について説明する。
【００９６】
吸気口１５から侵入した水の１部を水切り板２５の斜面に沿って本体２の後背部壁面３０方向に導き、ファン５側に飛散する水滴を抑制する。流路落下の途中でファン５側に飛散した水は、ルーバー３５に衝突してルーバー３５の斜面に沿って本体２の後背部壁面３０方向に流れ傾斜部２７に着水する。傾斜部２７に着水し、ファン５側に跳ね上がった水は遮蔽部材２８に衝突して遮蔽される。また、着水した１部は排水口２９から本体２の外部へ排水することで、水の跳ね返り量を削減する。また、空気はルーバー３５の傾斜した板の間隔を通り抜けてファン５の吸込口９に導くこととなる。
【００９７】
以上の流路構造により、実施例１〜３と同様に電子基板、誘導加熱コイルの防水効果が得られる。
【図面の簡単な説明】
【００９８】
【図１】本発明の一実施例の誘導加熱調理器を示した外観傾斜図。
【図２】図１の誘導加熱調理器における分解傾斜図。
【図３】図１の誘導加熱調理器における側面断面。
【図４】ファンユニット５を説明する説明図。
【図５】ターボファンである羽根車１０を説明する説明図。
【図６】本発明の第一の実施例の誘導加熱調理器において、トッププレート等を本体から取り外し吸気口１５からファン５の流路間を表した傾斜図。
【図７】本発明の第二の実施例の誘導加熱調理器において、右の誘導加熱部のほぼ中央で切断した側面断面図
【図８】本発明の第二の実施例の誘導加熱調理器において、ファン５の吸込口９側を表した傾斜図
【図９】本発明の第三の実施例の誘導加熱調理器において、ファン５の吸込口９周辺を示したファンケーシング１３を表した正面図
【図１０】本発明の第三の実施例の誘導加熱調理器において、図７のA−A断面。を示している。
【図１１】本発明の第四の実施例の誘導加熱調理器において、右の誘導加熱部のほぼ中央で切断した側面断面図
【図１２】ファンケーシング１３の他の実施例を説明する説明図。
【図１３】軸流ファンの一般的な特性を示した図
【図１４】多翼ファンとターボファンを比較した模式図
【符号の説明】
【００９９】
１・・・トッププレート
２・・・本体
３、４・・・誘導加熱コイル
５・・・ファン
６、７、８、・・・電子基板
９・・・吸込口
１０・・・羽根車
１１、１２・・・吐出口
１３・・・ファンケーシング
１４・・・ファンモータ
１５・・・吸気口
１６・・・排気口
１７・・・操作部
１８・・・液晶パネル
１９・・・ロースター
２０・・・ロースター排気口
２１・・・ラジエントヒータ
２２、２３・・・通気口
２４・・・上方流路壁面
２５・・・水切り板
２６・・・下方流路壁面
２７・・・傾斜部
２８・・・遮蔽部材
２９、３３・・・排水口
３０・・・後背部流路壁面
３１・・・マウスリング
３２・・・庇状の仕切り板
３４・・・庇状の仕切り板
３５・・・ルーバー
【図１】
2007073453.tif 000003
【図２】
2007073453.tif 000004
【図３】
2007073453.tif 000005
【図４】
2007073453.tif 000006
【図５】
2007073453.tif 000007
【図６】
2007073453.tif 000008
【図７】
2007073453.tif 000009
【図８】
2007073453.tif 000010
【図９】
2007073453.tif 000011
【図１０】
2007073453.tif 000012
【図１１】
2007073453.tif 000013
【図１２】
2007073453.tif 000014
【図１３】
2007073453.tif 000015
【図１４】
2007073453.tif 000016